(57)【要約】  【課題】  従来の電子機器、電子機器の制御方法、電子機器の制御プログラム及び電子機器の制御システムは、発光部に対する点灯制御の方法に改善の余地があった。  【解決手段】  携帯電話機１〜３は、ユーザの複数の移動状態のいずれであるかを判別し、判別する移動状態に応じて、発光部２０を点灯状態にする制御部１９を備えるため、簡便な方法で発光部２０を点灯状態にすることができる。携帯電話機１〜３は、さらに、制御部１９が、発光部２０を点灯状態にした後、操作部１２による入力を検出するまで点灯状態を維持してもよい。【選択図】  図５
2015222615.tif 000002
【特許請求の範囲】
【請求項１】
ユーザの移動状態が複数の移動状態のうちいずれであるかを判別し、判別する移動状態に応じて、発光部を点灯状態にする制御部を備える電子機器。
【請求項２】
前記制御部は、
前記発光部を点灯状態にした後、操作部による入力を検出するまで点灯状態を維持する請求項１に記載の電子機器。
【請求項３】
前記制御部は、
前記複数の移動状態として、歩行状態及び走行状態のうち少なくとも一つの状態を判別し、
前記判別する移動状態が歩行状態又は走行状態であるときに、照度センサ部により検出する電流量に基づいて明状態から暗状態へ変化したと判別すると、前記発光部を点灯状態にする請求項１又は請求項２に記載の電子機器。
【請求項４】
前記制御部は、
近接センサ部により検出する値に基づいて当該近接センサ部の一定距離内に物体がないと判別するとき、前記判別する移動状態に応じて、前記発光部を点灯状態にする請求項１乃至請求項３のいずれかに記載の電子機器。
【請求項５】
複数の移動状態のいずれであるかを制御部が判別する第１のステップと、
判別する移動状態に応じて、発光部を前記制御部が点灯状態にする第２のステップと、を含む電子機器の制御方法。
【請求項６】
前記発光部を点灯状態にした後、操作部による入力を検出するまで前記制御部が点灯状態を維持する第３のステップを含む請求項５に記載の電子機器の制御方法。
【請求項７】
複数の移動状態のいずれであるかを判別する第１のステップと、
判別する移動状態に応じて、発光部を点灯状態にする第２のステップと、を制御部に実行させる電子機器の制御プログラム。
【請求項８】
前記発光部を点灯状態にした後、操作部による入力を検出するまで前記点灯状態を維持する第３のステップを含む、請求項７に記載の電子機器の制御プログラム。
【請求項９】
発光部と、
ユーザの移動状態が複数の移動状態のうちいずれであるかを判別し、判別する移動状態に応じて、前記発光部を点灯状態にする制御部と、
を含む電子機器の制御システム。
【発明の詳細な説明】
【技術分野】
【０００１】
本発明は、電子機器、電子機器の制御方法、電子機器の制御プログラム及び電子機器の制御システムに関する。
【背景技術】
【０００２】
特許文献１によると、ＧＰＳにより検出された歩行者の位置に基づいて点灯制御する通信端末がある。
【先行技術文献】
【特許文献】
【０００３】
【特許文献１】特開２００７−４７８４４号公報
【発明の概要】
【発明が解決しようとする課題】
【０００４】
従来の通信端末は、発光部に対する点灯制御の方法に改善の余地があった。
【課題を解決するための手段】
【０００５】
本発明の実施形態に係る電子機器は、ユーザの移動状態が複数の移動状態のうちいずれであるかを判別し、判別する移動状態に応じて、発光部を点灯状態にする制御部を備えることを特徴とするものである。
【０００６】
本発明の実施形態に係る電子機器の制御方法は、複数の移動状態のいずれであるかを制御部が判別する第１のステップと、判別する移動状態に応じて、発光部を前記制御部が点灯状態にする第２のステップと、を含むことを特徴とするものである。
【０００７】
本発明の実施形態に係る電子機器の制御プログラムは、複数の移動状態のいずれであるかを判別する第１のステップと、判別する移動状態に応じて、発光部を点灯状態にする第２のステップと、を制御部に実行させることを特徴とするものである。
【０００８】
本発明の実施形態に係る電子機器の制御システムは、発光部と、ユーザの移動状態が複数の移動状態のうちいずれであるかを判別し、判別する移動状態に応じて、前記発光部を点灯状態にする制御部と、を含むことを特徴とするものである。
【発明の効果】
【０００９】
本発明によれば、移動状態に応じて発光部を点灯状態にすることができる。
【図面の簡単な説明】
【００１０】
【図１】携帯電話機の機能的な構成を示すブロック図である。
【図２】加速度センサ部の検出結果を模式的に示す図である。
【図３】携帯電話機の機能的な構成の変形例を示すブロック図である。
【図４】携帯電話機の機能的な構成のその他の変形例を示すブロック図である。
【図５】携帯電話機の外観的な構成を模式的に示し、（ａ）は携帯電話機１の正面図、（ｂ）は携帯電話機２の正面図、（ｃ）は携帯電話機３の正面図である。
【図６】携帯電話機３の移動状態の判別動作の流れについての説明に供する第１のフローチャートである。
【図７】携帯電話機３の発光部の点灯動作の流れについての説明に供する第２のフローチャートである。
【図８】携帯電話機３の発光部の点灯動作の流れについての説明に供する第３のフローチャートである。
【図９】携帯電話機３の発光部の点灯動作の流れについての説明に供する第４のフローチャートである。
【図１０】デジタル腕時計４を模式的に示す正面図である。
【発明を実施するための形態】
【００１１】
本発明を実施するための実施形態を、図面を参照しつつ詳細に説明する。以下では、電子機器の一例として、携帯電話機について説明する。
【００１２】
図１は、携帯電話機の機能的な構成を示すブロック図である。
【００１３】
携帯電話機１は、図１に示すように、表示部１１と、操作部１２と、レシーバ１３と、マイク１４と、通信部１５と、タイマー１６と、加速度センサ部１７と、記憶部１８と、制御部１９と、発光部２０と、を備える。
【００１４】
表示部１１は、例えば、液晶ディスプレイ（Liquid Crystal Display）、ＥＬディスプレイ（Electro-Luminescence Display）、ＭＥＭＳ（Micro Electro Mechanical System）シャッターディスプレイ等の表示デバイスにより構成されている。
【００１５】
操作部１２は、複数のボタンから構成されている。なお、操作部１２は、単一のボタンにより構成されていてもよいし、タッチスクリーンにより構成されていてもよい。操作部１２は、ユーザによって操作されるものである。操作部１２を用いれば、ユーザは、制御部１９に対して信号を入力することができ、携帯電話機１を操作することができる。
【００１６】
レシーバ１３は、制御部１９から送信される音声信号を音声に変換して出力する。
【００１７】
マイク１４は、音声を制御部１９に入力する。
【００１８】
通信部１５は、アンテナと、ＲＦ回路部とを備える。通信部１５は、複数の無線通信規格それぞれに対応した通信方式によって通信を行う。通信部１５は、２Ｇ、３Ｇ、及び４Ｇ等のセルラーフォンの通信規格、又は無線ＬＡＮシステムによる通信を可能とする。通信部１５は、無線ＬＡＮシステムである、ＩＥＥＥ８０２．１１に準拠している無線通信システム、例えば、ＷｉＦｉ（登録商標）の無線通信システムによる通信を可能とする。なお、通信部１５は、ＷｉＭＡＸ（登録商標）の無線通信システムによる通信を行ってもよい。アンテナ及びＲＦ回路部は、複数の通信方式それぞれに対応して複数設けられている。本実施形態では、通信部１５は、セルラーフォンの通信規格により通信を行うものとして説明を進める。
【００１９】
タイマー１６は、制御部１９と接続されており、定期的に割り込み信号を制御部１９に送信することで、制御部１９による定期動作及び同期動作を行わせるものである。
【００２０】
加速度センサ部１７は、携帯電話機１に働く加速度の方向及び大きさを検出し、検出結果を制御部１９に出力する。加速度センサ部１７は、Ｘ軸方向、Ｙ軸方向及びＺ軸方向の加速度を検出する３Ｇ（３次元）タイプである。
【００２１】
なお、加速度センサ部１７は、例えば、ピエゾ抵抗型、静電容量型により構成されるものとするが、これに限らない。例えば、加速度センサ部１７は、圧電素子（圧電式）、熱検知型によるＭＥＭＳ（Micro Electro Mechanical Systems）式、可動コイルを動かしてフィードバック電流によってもとに戻すサーボ式、又は加速度によって生じる歪を歪ゲージによって測定する歪ゲージ式等により構成されてもよい。
【００２２】
記憶部１８は、制御部１９による演算処理に利用される。記憶部１８は、例えば、メモリ等により構成される。記憶部１８は、各種のプログラムが記憶されている。記憶部１８に記憶されるプログラムは、携帯電話機１の各部を制御するための制御プログラム及び各種アプリケーションプログラム（以下、単に「アプリケーション」と称する）を含む。アプリケーションとは、例えば、電話、メッセージ、ウェブブラウザ、地図、ゲーム、スケジュール管理、等のアプリケーションである。
【００２３】
なお、各種プログラムは、メーカによって携帯電話機１の製造時に記憶部１８に記憶される。各種プログラムは、通信網又は、メモリカード及びＣＤ−ＲＯＭ等の記録媒体を介して記憶部１８に記憶されてもよい。
【００２４】
制御部１９は、携帯電話機１の全体を制御しており、ＣＰＵ（Central Processing Unit）、ＭＰＵ（Micro-Processing Unit）等を用いて構成される。制御部１９は、記憶部１８に記憶されるプログラムによって各種処理を実行する。
【００２５】
ここで、制御部１９による加速度センサ部１７の検出結果の処理について説明する。
【００２６】
図２は、加速度センサ部の検出結果を模式的に示す図である。
【００２７】
制御部１９には、図２に示すように、Ｘ軸方向の加速度（図２中のＡ）と、Ｙ軸方向の加速度（図２中のＢ）と、Ｚ軸方向の加速度（図２中のＣ）と、各加速度を合成したベクトル値（図２中のＤ）と、が加速度センサ部１７の検出結果として送信されてくる。制御部１９は、各加速度を合成した合成ベクトル値をロギングする。制御部１９は、ロギングしたデータを分析して、ユーザの移動状態を判別する。なお、ロギングしたデータは、記憶部１８に記憶される。
【００２８】
ユーザの移動状態を制御部１９が判別するにあたり、制御部１９は加速度パターンを用いる。加速度パターンは、例えば、予め記憶部１８に記憶されている。加速度パターンは、複数の移動状態に対して個別に関連付けられている。この加速度パターンとは、携帯電話機１を有しているユーザが停止している状態（停止状態）にある場合、携帯電話機１を有しているユーザが歩行により移動している状態（歩行状態）にある場合、又は携帯電話機１を有しているユーザが走行により移動している状態（走行状態）にある場合等に、どのような加速度パターンが加速度センサ部１７により特徴的に検出されるのかを、予め計測し、抽出しておいたパターンである。本実施形態においては、例えば、複数の移動状態毎に加速度パターンが予め記憶部１８に記憶されている。制御部１９は、上述した合成ベクトル値をロギングしたデータと、加速度パターンとを比較することにより、ユーザの移動状態を判別する。
【００２９】
制御部１９は、停止状態の加速度パターンに替えて、加速度センサ部１７によって検出された加速度が所定値未満である場合を停止状態にあると判別してもよい。制御部１９は、停止状態の加速度パターンに替えて、上述の合成ベクトル値をロギングしたデータが記憶する加速度パターンのいずれにも一致しない場合を停止状態にあると判別してもよい。
【００３０】
なお、制御部１９は、所定の時間的間隔で移動状態の判別を繰り返し、判別結果を記憶部１８に記憶させる。すなわち、制御部１９は、移動状態を継続して判別する。制御部１９は、記憶部１８に移動状態の判別結果を記憶させるとき、最新の判別結果を以前の判別結果に置き換えて記憶させてもよいし、判別結果を蓄積して記憶させてもよい。判別結果を制御部１９が蓄積して記憶させる場合、判別結果が所定量蓄積されると蓄積した古い判別結果を削除してもよい。
【００３１】
発光部２０は、ＬＥＤ（Light Emitting Diode）等の発光素子により構成されている。発光部２０は、制御部１９により、発光素子の発光のタイミングが制御される。すなわち、制御部１９は、発光部２０を、消灯状態又は点灯状態にすることができる。消灯状態とは、発光部２０の発光素子が発光していない状態である。点灯状態とは、発光部２０の発光素子が常に発光している状態又は発光素子が所定の間隔で点滅している状態のことである。発光部２０は、携帯電話機１をユーザが身に付けたとき、ユーザの体で覆われない位置に配置されることが好適である。
【００３２】
制御部１９は、判別する移動状態に応じて、発光部２０を点灯状態にする。
【００３３】
携帯電話機１は、ユーザの複数の移動状態のいずれであるかを判別し、判別する移動状態に応じて、発光部２０を点灯状態にする制御部１９を備える。携帯電話機１は、移動状態に応じて、発光部２０を発光させるタイミングを調整することができる。例えば、制御部１９は、歩行状態、走行状態と判別すると発光部２０を点灯状態にする制御を行う。また、制御部１９は、停止状態から歩行状態又は走行状態に移動状態が変化したと判別すると発光部２０を点灯状態にする制御を行っても構わない。このような制御部１９を備える携帯電話機１は、ユーザが携帯電話機１を身に付けて外が暗いときに散歩又はジョギングする状況で効果を発揮する。具体的には、ユーザが停止状態のとき発光部２０は消灯状態のときに、ユーザが歩行状態となる又は走行状態となると、操作部１２を用いることなく、発光部２０を点灯状態にすることができる。なお、ユーザは、発光部２０の点灯が他人に見えるように携帯電話機１を外に露出させた状態で身に付ける（以下、単に、身に付けるという。）ことが好適である。ユーザは、携帯電話機１を、例えば、ストラップ、ベルト等の保持部を用いて身に付ければよい。
【００３４】
携帯電話機１は、制御部１９が、発光部２０を点灯状態にした後、操作部１２による所定の入力を検出するまで点灯状態を維持することが好適である。このような構成であると、発光部２０が点灯状態となった後、制御部１９が判別する移動状態が不意に変わった、例えば、ユーザが信号等で立ち止まって、制御部１９が停止状態と判別したとしても、発光部２０は点灯状態で維持される。携帯電話機１は、ユーザの意図しないタイミングで、発光部２０が点灯状態から消灯状態になりにくい。
【００３５】
また、携帯電話機１は、近接センサ部をさらに備えることができる。近接センサ部は、例えば、物体が近づくことによる磁界の変化を検出する誘導型センサ、物体が近づくことによるコンデンサの静電容量の変化を検出する静電容量型センサ、超音波を送り出して物体からの反射波を受けて反射波の帰還時間の変化を検出する超音波型センサ、又は、赤外線を発光して物体に反射した赤外線を受光して電流に変換する赤外線型センサにより構成されるものとするが、これに限らない。制御部１９は、近接センサ部により検出する値に基づいて、近接センサ部の一定距離内に物体があるか否かを判別し、制御部１９は、近接センサ部の一定距離内に物体がないと判別するとき、移動状態に応じて、発光部２０を点灯状態にすることが好適である。このような構成であると、発光部２０を点灯状態にするには有用でない環境、例えば、ケース等で携帯電話機１が覆われている環境において、発光部２０が点灯状態になるのを防ぐことができる。
【００３６】
図３は、携帯電話機の機能的な構成の変形例を示すブロック図である。
【００３７】
携帯電話機２は、図３に示すように、表示部１１と、操作部１２と、レシーバ１３と、マイク１４と、通信部１５と、タイマー１６と、加速度センサ部１７と、記憶部１８と、制御部１９と、発光部２０と、照度センサ部２１と、を備える。
【００３８】
照度センサ部２１は、照度センサ部２１に入射した光を電流に変換し、制御部１９に出力する。制御部１９は、照度センサ部２１から入力された電流量をモニタリングする。制御部１９は、予め設定されている電流量の閾値より、モニタリングする電流量が大きい場合は明状態、小さい場合は暗状態と判別する。電流量の閾値は適宜設定すればよい。照度センサ部２１は、フォトトランジスタ、フォトダイオード、又はアンプ回路が追加されたフォトダイオードにより構成されるものとするが、これに限らない。照度センサ部２１は、携帯電話機２をユーザが身に付けたとき、ユーザの体で覆われない位置に配置されることが好適である。
【００３９】
制御部１９は、複数の移動状態として、歩行状態及び走行状態のうち少なくとも一つの状態を判別する。制御部１９は、判別する移動状態が歩行状態又は走行状態であるときに、照度センサ部２１により検出する電流量の値に基づいて明状態から暗状態へ変化したと判別すると、発光部２０を点灯状態にすることが好適である。このような制御部１９を備える携帯電話機２は、ユーザが携帯電話機２を身に付け、外が明るい時間帯から暗い時間帯にかけて散歩又はジョギングする状況でより効果を発揮する。具体的には、携帯電話機２は、外が明るいときユーザが歩行状態又は走行状態であるときには発光部２０を消灯状態とし、ユーザが歩行状態又は走行状態で外が暗くなると、発光部２０を点灯状態とすることができる。操作部１２を用いて発光部２０を点灯状態にするには困難な移動状態（歩行状態又は走行状態）であっても、携帯電話機２を用いれば、容易に発光部２０を点灯状態にすることができる。
【００４０】
図４は、携帯電話機の機能的な構成のその他の変形例を示すブロック図である。
【００４１】
携帯電話機３は、図４に示すように、表示部１１と、操作部１２と、レシーバ１３と、マイク１４と、通信部１５と、タイマー１６と、加速度センサ部１７と、記憶部１８と、制御部１９と、発光部２０と、照度センサ部２１と、上述した近接センサ部である近接センサ部２２と、を備える。
【００４２】
制御部１９は、近接センサ部２２により検出する値に基づいて、近接センサ部２２の一定距離内に物体があるか否かを判別する。近接センサ部２２は、照度センサ部２１が備えられた携帯電話機３本体に備えられている。近接センサ部２２は、携帯電話機３をユーザが身に付けたとき、ユーザの体で覆われない位置に配置されることが好適である。
【００４３】
携帯電話機３の制御部１９は、近接センサ部２２により検出する値に基づいて近接センサ部２２の一定距離内に物体があるか否かを判別する。制御部１９は、暗状態であると判別して、近接センサ部２２の一定距離内に物体がないと判別するとき、移動状態に応じて、発光部２０を点灯状態にすることが好適である。このような構成であると、物体が近接センサ部２２の一定距離内にある条件下において、制御部１９は、暗状態であると判別しても、発光部２０を点灯状態にしないようにできる。例えば、制御部１９が歩行状態又は走行状態と判別しているとき、ユーザが携帯電話機１を衣類のポケットに入れたとしても、制御部１９は、発光部２０を点灯状態になるのを防ぐことができる。
【００４４】
図５は、携帯電話機の外観的な構成を模式的に示し、（ａ）は携帯電話機１の正面図、（ｂ）は携帯電話機２の正面図、（ｃ）は携帯電話機３の正面図である。
【００４５】
図５（ａ）に示す携帯電話機１は、本体２３に、表示部１１と、操作部１２と、レシーバ１３と、マイク１４と、発光部２０と、を備える。
【００４６】
図５（ｂ）に示す携帯電話機２は、本体２３に、表示部１１と、操作部１２と、レシーバ１３と、マイク１４と、発光部２０とを備え、さらに、本体２３に発光部２０及び照度センサ部２１を備える。
【００４７】
図５（ｃ）に示す携帯電話機３は、本体２３に、表示部１１と、操作部１２と、レシーバ１３と、マイク１４と、発光部２０とを備え、さらに、本体２３に発光部２０、照度センサ部２１、及び近接センサ部２２を備える。照度センサ部２１及び近接センサ部２２は、照度センサ及び近接センサが一体に構成された複合型のセンサにより構成されている。
【００４８】
次に、携帯電話機３の動作の流れについて、図６〜図９に示すフローチャートを参照しながら説明する。
【００４９】
図６は、携帯電話機３の移動状態の判別動作の流れについて説明に供する第１のフローチャートである。
【００５０】
移動状態の判別機能がＯＮ状態になると、制御部１９による移動状態の判別が開始される。なお、移動状態の判別機能をＯＮ状態にするには操作部１２を用いればよい。
【００５１】
制御部１９は、移動状態の判別が開始されると、ステップＳＴ１において、加速度センサ部１７の検出結果のロギングを開始する。制御部１９は、ロギングしたデータを記憶部１８に記憶させ、ステップＳＴ２に処理を移す。
【００５２】
ステップＳＴ２において、制御部１９は、加速度センサ部１７の検出結果を分析して、各移動状態を判別し、ステップＳＴ３に処理を移す。
【００５３】
ステップＳＴ３において、制御部１９は、判別された移動状態の判別結果を記憶部１８に記憶させ、ステップＳＴ４に処理を移す。
【００５４】
ステップＳＴ４において、制御部１９は、所定の時間が経過したか否かを判断する。制御部１９は、所定の時間が経過したと判断した場合（ＹＥＳ）には、ステップＳＴ５に処理を移す。制御部１９は、所定の時間が経過していないと判断した場合（Ｎｏ）には、ステップＳＴ４の処理を繰り返す。なお、この所定の時間は短いほどよい。
【００５５】
ステップＳＴ５において、制御部１９は、移動状態の判別機能がＯＦＦ状態であるか否かを判断する。制御部１９は、移動状態の判別機能がＯＦＦ状態であると判断した場合（ＹＥＳ）には、移動状態の判別を終了する。制御部１９は、移動状態の判別機能がＯＦＦ状態でないと判断した場合（Ｎｏ）には、ステップＳＴ１に処理を移す。
【００５６】
図７は、携帯電話機３の発光部２０の点灯動作の流れの一例について説明に供する第２のフローチャートである。なお、第２のフローチャートに示す処理は、第１のフローチャートに示す処理と独立して行われるものである。
【００５７】
ステップＳＴ６において、制御部１９は、移動状態の検出機能がＯＮ状態であるか、否かを判断する。制御部１９は、移動状態の検出機能がＯＮ状態であると判断した場合（Ｙｅｓ）、ステップＳＴ７に処理を移す。制御部１９は、移動状態の検出機能がＯＮ状態でないと判断した場合（Ｎｏ）、ステップＳＴ６の処理を繰り返す。
【００５８】
ステップＳＴ７において、制御部１９は、移動状態が、歩行状態又は走行状態と判別しているか、否かを判断する。制御部１９は、歩行状態又は走行状態と判別していると判断した場合（Ｙｅｓ）、ステップＳＴ８に処理を移す。制御部１９は、歩行状態又は走行状態と判別していないと判断する場合（Ｎｏ）、ステップＳＴ７を繰り返す。
【００５９】
ステップＳＴ８において、制御部１９は、発光部２０を点灯状態にして、ステップＳＴ９に処理を移す。このような発光部２０の点灯動作をする携帯電話機３は、移動状態に応じて、発光部２０を発光させるタイミングを調整することができる。
【００６０】
ステップＳＴ９において、制御部１９は、操作部１２により所定の操作がされたか、否かを判断する。制御部１９は、操作部１２により所定の操作がされたと判断した場合（Ｙｅｓ）、ステップＳＴ９に処理を移す。制御部１９は、操作部１２により所定の操作がされていないと判断した判場合（Ｎｏ）、ステップＳＴ９を繰り返す。
【００６１】
ステップＳＴ１０において、制御部１９は、発光部２０を消灯状態にして、処理を終了する。携帯電話機３は、発光部２０が点灯状態となった後、制御部１９が判別する移動状態が変わったとしても、発光部２０は操作部１２により所定の操作がされるまで点灯状態で維持されるため、ユーザが意図しないタイミングで発光部２０が点灯状態から消灯状態になりにくい。
【００６２】
図８は、携帯電話機３の発光部２０の点灯動作の流れの他の一例について説明に供する第３のフローチャートである。なお、第３のフローチャートに示す処理は、第１のフローチャートに示す処理と独立して行われるものである。
【００６３】
ステップＳＴ１１において、制御部１９は、移動状態の検出機能がＯＮ状態であるか、否かを判断する。制御部１９は、移動状態の検出機能がＯＮ状態であると判断した場合（Ｙｅｓ）、ステップＳＴ１２に処理を移す。制御部１９は、移動状態の検出機能がＯＮ状態でないと判断した場合（Ｎｏ）、ステップＳＴ１１の処理を繰り返す。
【００６４】
ステップＳＴ１２において、制御部１９は、移動状態が、歩行状態又は走行状態になったか、否かを判断する。制御部１９は、歩行状態及び走行状態以外の移動状態である、例えば、停止状態から歩行状態又は走行状態であると判断した場合（Ｙｅｓ）、ステップＳＴ１３に処理を移す。制御部１９は、移動状態が、停止状態から歩行状態又は走行状態になっていないと判断した場合（Ｎｏ）、ステップＳＴ１２の処理を繰り返す。
【００６５】
ステップＳＴ１３において、制御部１９は、照度センサ部２１により検出する電流量に基づいて、明状態であるか、否かを判別する。制御部１９は、明状態であると判断した場合（Ｙｅｓ）、ステップＳＴ１４に処理を移す。制御部１９は、明状態でないと判断した場合（Ｎｏ）、ステップＳＴ１６に処理を移す。
【００６６】
ステップＳＴ１４において、制御部１９は、移動状態が、歩行状態又は走行状態で維持されているか、否かを判断する。制御部１９は、移動状態が、歩行状態又は走行状態で維持されていると判断した場合（Ｙｅｓ）、ステップＳＴ１５に処理を移す。制御部１９は、移動状態が、歩行状態又は走行状態で維持されていないと判断した場合（Ｎｏ）、ステップＳＴ１２に処理を移す。
【００６７】
ステップＳＴ１５において、制御部１９は、照度センサ部２１により検出する電流量に基づいて、明状態が維持さているか、否かを判別する。制御部１９は、明状態が維持されていないと判断した場合（Ｎｏ）、ステップＳＴ１６に処理を移す。制御部１９は、明状態が維持されていると判断した場合（Ｙｅｓ）、ステップＳＴ１４に処理を移す。
【００６８】
ステップＳＴ１６において、制御部１９は、発光部２０を点灯状態にして、ステップＳＴ１７に処理を移す。
【００６９】
ステップＳＴ１７において、制御部１９は、操作部１２により所定の操作がされたか、否かを判断する。制御部１９は、操作部１２により所定の操作がされたと判断した場合（Ｙｅｓ）、ステップＳＴ１８に処理を移す。制御部１９は、操作部１２により所定の操作がされていないと判断した判場合（Ｎｏ）、ステップＳＴ１７を繰り返す。
【００７０】
ステップＳＴ１８において、制御部１９は、発光部２０を消灯状態にして、処理を終了する。
【００７１】
このような発光部２０の点灯動作をする携帯電話機３は、操作部１２を用いて発光部２０を点灯状態にするには困難な移動状態（歩行状態又は走行状態）であっても、容易に発光部２０を点灯状態にすることができる。
【００７２】
図９は、携帯電話機３の発光部２０の点灯動作の流れの他の一例について説明に供する第４のフローチャートである。なお、第４のフローチャートに示す処理は、第１のフローチャートに示す処理と独立して行われるものである。
【００７３】
ステップＳＴ１９において、制御部１９は、移動状態の検出機能がＯＮ状態であるか、否かを判断する。制御部１９は、移動状態の検出機能がＯＮ状態であると判断した場合（Ｙｅｓ）、ステップＳＴ１２に処理を移す。制御部１９は、移動状態の検出機能がＯＮ状態でないと判断した場合（Ｎｏ）、ステップＳＴ１１の処理を繰り返す。
【００７４】
ステップＳＴ２０において、制御部１９は、移動状態が、停止状態から歩行状態又は走行状態になったか、否かを判断する。制御部１９は、移動状態が、停止状態から歩行状態又は走行状態になったと判断した場合（Ｙｅｓ）、ステップＳＴ２１に処理を移す。制御部１９は、移動状態が、停止状態から歩行状態又は走行状態になっていないと判断した場合（Ｎｏ）、ステップＳＴ２０の処理を繰り返す。
【００７５】
ステップＳＴ２１において、制御部１９は、照度センサ部２１により検出する電流量に基づいて、明状態であるか、否かを判別する。制御部１９は、明状態であると判断した場合（Ｙｅｓ）、ステップＳＴ２２に処理を移す。制御部１９は、明状態でないと判断した場合（Ｎｏ）、ステップＳＴ２４に処理を移す。
【００７６】
ステップＳＴ２２において、制御部１９は、移動状態が、歩行状態又は走行状態で維持されているか、否かを判断する。制御部１９は、移動状態が、歩行状態又は走行状態で維持されていると判断した場合（Ｙｅｓ）、ステップＳＴ２３に処理を移す。制御部１９は、移動状態が、歩行状態又は走行状態で維持されていないと判断した場合（Ｎｏ）、ステップＳＴ２０に処理を移す。
【００７７】
ステップＳＴ２３において、制御部１９は、照度センサ部２１により検出する電流量に基づいて、明状態を維持しているか、否かを判別する。制御部１９は、明状態を維持していないと判断した場合（Ｎｏ）、ステップＳＴ２４に処理を移す。制御部１９は、明状態を維持していると判断した場合（Ｙｅｓ）、ステップＳＴ２２に処理を移す。
【００７８】
ステップＳＴ２４において、制御部１９は、近接センサ部２２により検出する値に基づいて、近接センサ部２２の一定距離内に物体がないか、否かを判別する。制御部１９は、一定距離内に物体がないと判断した場合（Ｙｅｓ）、ステップＳＴ２５に処理を移す。制御部１９は、一定距離内に物体があると判断した場合（Ｎｏ）、ステップＳＴ２０に処理を移す。
【００７９】
ステップＳＴ２５において、制御部１９は、発光部２０を点灯状態にして、ステップＳＴ２６に処理を移す。
【００８０】
ステップＳＴ２６において、制御部１９は、操作部１２により所定の操作がされたか、否かを判断する。制御部１９は、操作部１２により所定の操作がされたと判断した場合（Ｙｅｓ）、ステップＳＴ２７に処理を移す。制御部１９は、操作部１２により所定の操作がされていないと判断した判場合（Ｎｏ）、ステップＳＴ２６を繰り返す。
【００８１】
ステップＳＴ２７において、制御部１９は、発光部２０を消灯状態にして、処理を終了する。
【００８２】
このような発光部２０の点灯動作をする携帯電話機３は、物体が近接センサ部２２の一定距離内にある条件下において、制御部１９が暗状態であると判別しても、発光部２０を点灯状態になるのを防ぐことができる。
【００８３】
本実施形態の携帯電話機１〜３は加速度センサ部１７、制御部１９及び発光部２０を全て含むものであるが、複数の電子機器がシステムとなって連携して、移動状態に応じて、発光部２０を発光状態にしても構わない。複数の電子機器がシステムとなって連携する場合、複数の電子機器が備えるそれぞれの制御部が連携して、移動状態を判別し、発光部２０を発光させても構わない。
【００８４】
本発明の電子機器を、携帯電話機１〜３を用いて説明したが、本発明の電子機器は、デジタル腕時計であっても構わない。
【００８５】
図１０は、デジタル腕時計４を模式的に示す正面図である。
【００８６】
デジタル腕時計４は、本体２３に、表示部１１と、操作部１２と、レシーバ１３と、マイク１４と、を備え、さらに、本体２３に発光部２０、照度センサ部２１、及び近接センサ部２２を備える。照度センサ部２１及び近接センサ部２２は、照度センサ及び近接センサが一体に構成された複合型のセンサにより構成されている。本体２３には、ユーザの手首に巻いて保持するための保持部２４が設けられている。なお、デジタル腕時計４は、図示していないが内部に、通信部１５と、タイマー１６と、加速度センサ部１７と、記憶部１８と、制御部１９と、を備える。
【００８７】
ユーザは、デジタル腕時計４を、保持部２４を手首に巻きつけて固定することで身に付けることができる。デジタル腕時計４は、保持部２４を本体２３に備えるため、ユーザの身に取り付けやすい。
【００８８】
以上、本発明の実施形態について説明したが、本発明は前述した実施形態に限るものではない。本発明の実施形態に記載された効果は、本発明から生じる最も好適な効果を列挙したに過ぎず、本発明による効果は、前述の実施形態に記載されたものに限定されるものではない。
【符号の説明】
【００８９】
１、２、３  携帯電話機
４    デジタル腕時計
１７  加速度センサ部
１８  記憶部
１９  制御部
２０  発光部
２４  保持部
【図１】
2015222615.tif 000003
【図２】
2015222615.tif 000004
【図３】
2015222615.tif 000005
【図４】
2015222615.tif 000006
【図５】
2015222615.tif 000007
【図６】
2015222615.tif 000008
【図７】
2015222615.tif 000009
【図８】
2015222615.tif 000010
【図９】
2015222615.tif 000011
【図１０】
2015222615.tif 000012